(57)【特許請求の範囲】
【請求項１】
第１の枠と、
上記第１の枠に保持される第１の外径部と、枠外部に露出した第２の外径部を有するレンズと、
上記第１の枠に接着固定され上記第１の枠を光軸方向にガイドするためのガイド軸と、
上記ガイド軸を摺動可能に支持し、上記第１の枠を光軸方向に移動させる枠部材であって、該枠部材の枠中心と上記レンズの光学芯とを合わせるための嵌合部を有した第２の枠と、
を具備し、上記第２の枠の上記嵌合部と、上記レンズの上記第２の外径部とに嵌合して上記ガイド部材の上記接着固定を行う治具により組み立てられたことを特徴とするレンズ鏡枠構造。
【請求項２】
第１の枠と、上記第１の枠に保持される第１の外径部と枠外部に露出した第２の外径部を有するレンズと、上記第１の枠に接着固定され上記第１の枠を光軸方向にガイドするためのガイド軸と、上記ガイド軸を摺動可能に支持し、上記第１の枠を光軸方向に移動させる枠部材であって、該枠部材の枠中心と上記レンズの光学芯とを合わせるための嵌合部を有した第２の枠とからなるレンズ鏡枠の光学的芯出し方法であって、
上記レンズの第２の外径部と上記第２の枠の嵌合部とに嵌合して位置決めする治具部材を用いて、上記第２の枠の枠中心と上記レンズの光学的芯とを合わせることを特徴とするレンズ鏡枠の光学的芯出し方法。
【発明の詳細な説明】
【０００１】
【発明の属する技術分野】
本発明は、光学的芯出し調整が可能なレンズ鏡枠構造およびレンズ鏡枠の光学的芯出し方法に関する。
【０００２】
【従来の技術】
従来、光学的芯出し調整が可能なレンズ鏡枠、または、その光学的芯出し方法等に関する提案として、特開昭５９−１０７３０７号公報をはじめ、実開昭５９−６８３０６号公報，実開平５９−１２１６０８号公報，実開平５９−１６１１０８号公報，特開昭５９−６８７１０号公報，特開昭５９−６９７０８号公報，特開昭６０−１２９７１５号公報，特開昭５９−１５９１１１号公報等がある。これらの提案のものは、すべて芯出し調整されるレンズがレンズ枠に内部に収まった状態で保持されるレンズ鏡枠に関するものである。
【０００３】
一方、カメラ等の小型光学機器については、近年、ますますコンパクト化のニーズが高まり、それに応えるべくレンズ鏡枠も小型化が避けられない状況にある。
【０００４】
【発明が解決しようとする課題】
しかし、上述の各公報に提案されている光学的芯出し調整が可能なレンズ鏡枠は、上述したように芯出し調整されるレンズがレンズ枠に内部に収まった状態で保持されている。したがって、レンズの外径にレンズ枠の肉厚を加えた大きいスペ−スが占有スペ−スになり、レンズ鏡枠の小型化の支障になっていた。さらに、レンズの光学的芯出し調整を行う場合、レンズがレンズ枠の内部に収まっているためにレンズの位置決め操作がやりにくく、光学的芯出し調整が困難であった。
【０００５】
本発明は、上述の不具合を解決するためになされたものであり、レンズ鏡枠の小型化，コンパクト化が可能であり、しかも、光学的芯出し調整が容易であるレンズ鏡枠構造およびレンズ鏡枠の光学的芯調整方法を提供することを目的とする。
【０００６】
【課題を解決するための手段】
本発明の請求項１記載のレンズ鏡枠構造は、第１の枠と、上記第１の枠に保持される第１の外径部と、枠外部に露出した第２の外径部を有するレンズと、上記第１の枠に接着固定され上記第１の枠を光軸方向にガイドするためのガイド軸と、上記ガイド軸を摺動可能に支持し、上記第１の枠を光軸方向に移動させる枠部材であって、該枠部材の枠中心と上記レンズの光学芯とを合わせるための嵌合部を有した第２の枠と、を具備し、上記第２の枠の上記嵌合部と、上記レンズの上記第２の外径部とに嵌合して上記ガイド部材の上記接着固定を行う治具により組み立てられたことを特徴とする。
【０００７】
【課題を解決するための手段】
本発明の請求項２記載のレンズ鏡枠の光学的芯出し方法は、第１の枠と、上記第１の枠に保持される第１の外径部と枠外部に露出した第２の外径部を有するレンズと、上記第１の枠に接着固定され上記第１の枠を光軸方向にガイドするためのガイド軸と、上記ガイド軸を摺動可能に支持し、上記第１の枠を光軸方向に移動させる枠部材であって、該枠部材の枠中心と上記レンズの光学芯とを合わせるための嵌合部を有した第２の枠とからなるレンズ鏡枠の光学的芯出し方法であって、上記レンズの第２の外径部と上記第２の枠の嵌合部とに嵌合して位置決めする治具部材を用いて、上記第２の枠の枠中心と上記レンズの光学的芯とを合わせることを特徴とする。
【０００９】
【発明の実施の形態】
以下、本発明の実施の形態を図に基づいて説明する。
図１は、本発明の一実施の形態であるレンズ鏡枠が組み込まれるレンズ鏡筒５０の撮影可能状態での縦断面図であって、上半部がワイド状態を、下半部がテレ状態を示す。なお、上記レンズ鏡筒５０は、沈胴可能なレンズ鏡筒であって、非撮影時には、図１の状態からすべての可動鏡枠が固定枠１内の沈胴位置に移動して収納されるものとする。
【００１０】
本レンズ鏡筒５０は、沈胴位置から撮影準備位置間、すなわち、沈胴駆動領域の進退駆動を行う沈胴駆動系と、レンズ群枠の繰り出し駆動を行うレンズ群駆動系と、各レンズ群を保持するレンズ群枠部とからなる。
【００１１】
上記沈胴駆動系は、主にカメラ本体５１に固定支持され、ヘリコイド駆動ギヤ（図示せず）および駆動リング３を有する固定枠１と、沈胴位置と撮影準備位置間を進退し、上記撮影準備位置でワイド位置からテレ位置間を回動する回転枠２と、後述する移動枠５に回動自在に支持されるヘリコイドリング４と、上記回転枠２と共に沈胴位置と撮影可能位置間を光軸Ｏに沿って直進移動する移動枠５とからなる。
【００１２】
上記レンズ群駆動系は、主に移動枠５内に嵌入して進退駆動され、回転枠２と共に回転し、進退するカム枠Ｍ１１と、カム枠Ｍ１１と共に回転し、２群枠２２を介して進退駆動されるカム枠Ｆ１２と、レンズ群を直進ガイドするキーリング１３と、カム枠Ｍ１１に支持され、直進移動する可動フレア絞り１５とからなる。
【００１３】
上記レンズ群枠部は、カム枠Ｍ１１，カム枠Ｆ１２に内蔵され、直進移動する各レンズ群保持枠で構成される。すなわち、上記カム枠Ｆ１２を介して進退駆動され、１群レンズ４１を保持する１群枠２１と、上記キーリング１３を介して直進ガイドされ、上記カム枠Ｍ１１によって進退駆動される第２の枠である２群枠２２と、カム枠Ｆ１２を介して進退駆動される可動フォロワ２８と、可動フォロワ２８を介して進退駆動され、３群レンズ４３を保持する３群枠２３と、２群枠２２に相対的に進退可能に保持されており、フォーカシング駆動系（図示せず）により光軸Ｏに沿って直進駆動される第１の枠であるフォーカシング枠２９とかなる。
【００１４】
図２は、上記フォーカシング枠２９の縦断面図である。上記フォーカシング枠２９は、フォーカシング用２群レンズ４２を構成する複数のレンズ４２ａ，４２ｂ、および、被調整レンズ４２ｃを保持している。なお、上記被調整レンズ４２ｃの外径Ｄ1 の第１の外径部４２cAと外径Ｄ1 より大きい外径Ｄ2 の第２の外径部４２cBを有している。
【００１５】
また、フォーカシング枠２９には２群枠２２にガタなく摺動自在に支持されるガイド軸３０が接着固定されている。したがって、フォーカス枠２９は、２群枠２２に対して光軸Ｏに沿って相対的に進退駆動可能に支持されることになる。なお、フォーカシング枠２９は、ガイド軸３０で直進ガイドされると同時に、２群枠２２に設けられる図示しない回り止め部材により光軸Ｏ回りの回動が規制されるものとする。
【００１６】
上記レンズ４２ａ，４２ｂの外径部は、レンズ保持部２９ａの内径部にガタのない状態で嵌入（精密嵌合）してそのまま接着固定される。一方、被調整レンズであるレンズ４２ｃは、その光学的芯ずれの光学性能に対する影響が大きいことから、レンズ４２ｃの第１の外径部４２cAをレンズ保持部２９ａの嵌合部と隙間Ｘ1 のある状態で嵌入（遊嵌嵌合）し、後述する芯出し治具６１（図３参照）により上記第２の外径部４２cAを操作して芯出し、接着固定される。
【００１７】
なお、レンズ４２ｃの第２の外径部４２cBの外径Ｄ2 は、レンズ保持部２９ａの外径Ｄ0 よりも大きく、レンズ保持部２９ａの端面から外部に露出した状態で保持されており、上記芯出し調整時には上記第２の外径部４２cBを外部から操作して調整することができる。
【００１８】
図３は、レンズ４２ｃをフォーカシング枠２９に接着固定するための芯出し治具装着状態での縦断面図である。上記接着を行う場合、まず、レンズ保持部２９ａ内部にレンズ４２ａ，４２ｂが固定された状態のフォーカシング枠２９を芯出し治具６１に取り付ける。そのとき、フォーカシング枠の基準内周部２９ｅと芯出し治具の基準外周部６１ｅとを嵌合させる。
【００１９】
上記フォーカシング枠装着状態でフォーカシング枠のレンズ保持部２９ａの内径部にレンズ４２ｃの第１の外径部４２cAを隙間Ｘ1 のある状態で挿入（遊嵌嵌合）する。そして、レンズ４２ｃの位置を第２の外径部４２cBを介して微調節し、レーザ光によるチャート像モニタによりレンズ４２ａ，４２ｂとレンズ４２ｃとの光学的芯合わせを行う。そこで、上記隙間Ｘ1 部分に紫外線硬化型接着剤３１を注入して接着する。
【００２０】
また、図４は、フォーカス枠２９にガイド軸３０を接着固定するための芯出し治具装着状態の縦断面図である。上記ガイド軸３０の接着を行う場合、２群枠２２を芯出し治具７１の枠位置決め用基準内周部７１ｅに２群枠２２の位置決め外周部２２ｅを嵌入させて取り付ける。
【００２１】
さらに、芯出し治具７１のレンズ位置決め用基準内周部７１ｂに対して、すでにフォーカシング枠２９に固定されているレンズ４２ｃの第２の外径部４２cBを嵌入させてフォーカシング枠２９を取り付ける。この装着状態でレンズ２群枠２２に対するレンズ４２ｃの光学的芯出しがなされる。
【００２２】
そこで、ガイド軸３０の両端を２群枠２２の軸支持部２２ａ，２２ｂにガタなく挿通（精密嵌合）させ、同時にフォーカシング枠２９の軸支持部２９ｂを隙間Ｘ2 のある状態で挿通（遊嵌嵌合）させる。そして、紫外線硬化型接着剤３２を軸支持部の注入孔２９ｃから注入してガイド軸３０を接着固定する。この接着固定は、必ずしも紫外線硬化型の接着剤を使用しなくとも、一般の接着剤で固定してもよい。
【００２３】
この接着によりフォーカシング枠２９は、レンズ４２ｃの芯出し状態でガイド軸３０を介して２群枠２２に摺動自在に支持された状態となる。なお、ガイド軸３０の被接着部には接着部分のずれ防止用の切り込み３０ａが設けられている。
【００２４】
以上のように構成されたレンズ鏡筒５０において、回転枠２と移動枠５、および、それらに支持される鏡枠は、上記移動枠５に支持されたヘリコイドリング４の回動により沈胴位置から撮影位置に繰り出される。さらに、撮影位置に到達した状態で駆動リング３に回転枠２を連結させる。
【００２５】
上記撮影状態では、駆動リング３により回転枠２を回動駆動して、カム枠Ｍ１１およびカム枠Ｆ１２を介して各レンズ鏡枠である１群枠２１，２群枠２２，３群枠２３が各ズーム位置に進退駆動される。そして、それぞれのズーム位置で２群枠２２に進退自在に支持されているフォーカシング枠２９は、図示しないフォーカス駆動系により各フォーカシング位置に進退駆動される。
【００２６】
上述した本実施の形態のレンズ鏡枠を内蔵するレンズ鏡筒５０によれば、フォーカシング枠２９のレンズを保持する部分の占有スペ−スが、レンズ保持部２９ａより大きな被調整レンズ４２ｃの第２の外径部４２cBで決定されるので、レンズ鏡枠が小さくなり、レンズ鏡筒５０の小型化が実現できる。同時に被調整レンズ４２ｃの第２の外径部４２cBを掴んで芯出し微調節を行って接着固定するので、フォーカシング枠２９におけるレンズ群４２の光学的芯出し精度が向上する。さらに、上記フォーカシング枠２９に遊嵌状態のガイド軸３０を接着するとき、芯出し治具７１により２群枠２２と被調整レンズ４２ｃとを直接的に支持して位置決めすることから、芯出し精度が向上し、高い光学的精度が得られる。また、芯出し作業も容易になり、低価格化も実現できる。
【００２７】
なお、上述の実施の形態では、レンズ４２ｃの第２の外径部４２cBの外径Ｄ2 は、レンズ保持部２９ａの外径Ｄ0 よりも大きく設定されているが、これに限らず第２の外径部４２cBの外径Ｄ2 がレンズ保持部２９ａの外径Ｄ0 と同等、または、より小さい場合であっても上記第２の外径部４２cBがレンズ保持部２９ａの外部に露呈した状態であれば、同様な効果が得られる。
【００２８】
（付記）
上述の実施の形態に基づいて、以下の構成を得ることができる。すなわち、
（１）  第１の枠と、
第１の枠に保持される第１の外径部と、上記第１の枠の外径よりも大きい外径の第２の外径部を有するレンズと、
第２の枠と、
を具備し、上記レンズの第２の外径部と上記第２の枠の嵌合部とで第２の枠の枠中心と上記レンズの光学的芯とを合わせるように構成することを特徴とするレンズ鏡枠構造。
【００２９】
（２）  第１の枠と、
第１の枠に保持される複数のレンズと、
上記複数のレンズの１つであって、第１の外径部と、上記第１の枠の外径よりも大きい外径の第２の外径部を有する被調整レンズと、
第２の枠と、
を具備し、上記被調整レンズの上記第１の外径部は、上記第１の枠に保持されており、上記第２の外径部によって、第１の枠に嵌合している上記複数のレンズの光学的芯と、第２の枠の芯とを合わせるように構成したことを特徴とするレンズ鏡枠構造。
【００３０】
（３）  芯出し未調整時には第１の枠に遊嵌状態で支持されている支持軸を上記光学的芯出し時に位置調整して接着固定することを特徴とする付記２記載のレンズ鏡枠構造。
【００３１】
（４）  第１の枠と、第１の枠に保持される複数のレンズと、上記複数のレンズの１つであって、第１の外径部と上記第１の枠の外径よりも大きい外径の第２の外径部を有する被調整レンズと、第２の枠とからなるレンズ鏡枠の光学的芯出し方法であって、
上記被調整レンズの上記第１の外径部は、上記第１の枠に保持されており、上記第２の外径部によって、第１の枠に嵌合している上記複数のレンズの光学的芯と、第２の枠の芯とを合わせることを特徴とするレンズ鏡枠の光学的芯出し方法。
【００３２】
（５）  芯出し未調整時には第１の枠に遊嵌状態で支持されている支持軸を上記光学的芯出し時に位置調整して接着固定することを特徴とする付記４記載のレンズ鏡枠の光学的芯出し方法。
【００３３】
【発明の効果】
上述のように本発明のレンズ鏡枠構造によれば、第２の枠に対してレンズの第２の外径部を介して光学的芯出しを行うようことにより、レンズ鏡枠の芯出しが容易に、かつ、精度が向上し、レンズ鏡枠を組み込んだレンズ鏡筒の小型化が実現できる。
【００３４】
また、本発明のレンズ鏡枠の光学的芯出し方法によれば、第２の枠に対してレンズの第２の外径部を介して光学的芯出しを行うことにより、レンズ鏡枠の芯出しが容易になり、しかも、光学的精度も向上させることができる。
【図面の簡単な説明】
【図１】本発明の一実施の形態であるレンズ鏡枠を組み込んだレンズ鏡筒の縦断面図であって、上半部が撮影準備状態およびワイド状態を、下半部がテレ状態を示す。
【図２】上記一実施の形態のレンズ鏡枠の縦断面図。
【図３】図２のレンズ鏡枠をフォーカス用レンズ接着固定用の芯出し治具に装着した状態の縦断面図。
【図４】図２のレンズ鏡枠をガイド軸接着固定用の芯出し治具に装着したときの縦断面図。
【符号の説明】
２２  ……２群枠（第２の枠）
２９  ……フォーカシング枠（第１の枠）
４２ｃ……フォーカス用被調整レンズ
（レンズ）
４２cA……レンズの第１の外径部
４２cB……レンズの第２の外径部
７１  ……芯出し治具（治具部材）
Ｄ0   ……フォーカシング枠のレンズ保持部の
外径（第１の枠の外径）
Ｄ1   ……レンズの第１の外径部の径
Ｄ2   ……レンズの第２の外径部の径
【図１】
0003996709.tif 000002
【図２】
0003996709.tif 000003
【図３】
0003996709.tif 000004
【図４】
0003996709.tif 000005